(57)【要約】【課題】待機用電源とメイン電源の２系統をもつ電源装置において、停電復帰時に大きな突入電流が流れ、パワーリレーが損傷や破壊する恐れがあった。【解決手段】電源装置において、交流電源１の異常時にリレー（ＲＹ２）３を遮断することおよびリレー（ＲＹ１）４とリレー（ＲＹ２）３の駆動電源を同系統とし、待機電源停止時には両リレーをＯＦＦすることにより大きな突入電流が流れること防止し、パワーリレーの損傷や破壊の防止を実現することができる。【選択図】図１
2006296156.tif 000002
【特許請求の範囲】
【請求項１】
交流電源と、突入電流を防止するための非線形抵抗と、この非線形抵抗の入っていないラインに直列に入れた第１のリレーと、前記非線形抵抗の入ったラインに直列に入れた第２のリレーと、リレーＯＦＦ時の電源である待機用電源と、リレーＯＮ時の電源であるメイン電源と、両リレーを駆動するリレー駆動手段と、前記第１のリレーを駆動させるための第１のリレー駆動電源と、前記第２のリレーを駆動させるための第２のリレー駆動電源と、前記交流電源の異常時に第２のリレーを遮断する遮断手段とを備えたことを特徴とする電源装置。
【請求項２】
交流電源の異常時に第２のリレーを遮断する手段として、第１のリレーの駆動電圧を検出する駆動電圧検出手段を設け、前記第１のリレーの駆動電圧が所定の電圧を下回った場合、第２のリレーの接点をＯＦＦすることを特徴とした請求項１に記載の電源装置。
【請求項３】
交流電源の異常時に第２のリレーを遮断する手段として、第１のリレーと第２のリレーの駆動電源を同系統とし、待機電源停止時には両リレーをＯＦＦすることを特徴とした請求項１に記載の電源装置。
【請求項４】
第１のリレーの駆動電圧を検出する手段としてコンパレータを用いることを特徴とした請求項１〜３のいずれか１項に記載の電源装置。
【請求項５】
第１のリレーの駆動電圧を検出する手段としてマイコンを用いることを特徴とした請求項１〜３のいずれか１項に記載の電源装置。
【発明の詳細な説明】
【技術分野】
【０００１】
本発明は、電源装置、特に待機電源の停電復帰時の保護に関するものである。
【背景技術】
【０００２】
図５は、未公開自社出願の特願２００３−３４９２５５号に記載された従来の電源装置を示すものである。
【０００３】
図５に示すように、本電源装置は交流電源１と、突入電流を防止するための非線形抵抗２と、リレー（ＲＹ２）３と、リレー（ＲＹ１）４と、リレーＯＦＦ時の電源である待機用電源５と、リレーＯＮ時の電源であるメイン電源６と、両リレーを駆動するリレー駆動手段７と、リレー（ＲＹ２）３を駆動させるためのＲＹ２駆動電源８と、リレー（ＲＹ１）４を駆動させるためのＲＹ１駆動電源９から構成されている。
【０００４】
前記電源装置では待機時の制御用電源である待機用電源５と、両リレーＯＮ時の電源とであるメイン電源６が複合した２電源システムで、リレー駆動手段７の電源電圧は両電源より供給されていた。
【０００５】
また、図３に示すように、それぞれのリレーは交流電源１投入後電源１が起動し、リレー駆動手段７の電源電圧のＲＹ１駆動電源８が供給され、リレー駆動手段７によって、リレー（ＲＹ１）４をＯＮさせ、非線形抵抗２を通ってメイン電源６へ電圧が供給され、メイン電源６が起動し、ＲＹ２駆動電源９が供給され、リレー駆動手段７によってＲＹ２がＯＮするものであった。
【発明の開示】
【発明が解決しようとする課題】
【０００６】
しかしながら、前記従来の構成では、図４に示すように、待機用電源５とメイン電源６が動作時に停電などによって交流電源１が遮断されたとき、場合によっては待機電源５が先に停止する場合がある。そのとき、メイン電源６は動作を継続し、リレー駆動手段７の電源電圧は供給されるため、リレー駆動手段７は、リレー（ＲＹ１）４と、リレー（ＲＹ２）３を駆動し続けようとするが、待機用電源５は停止しているため、リレー（ＲＹ１）３はＯＦＦとなる。リレー（ＲＹ２）３がＯＮ、リレー（ＲＹ１）４がＯＦＦとなっている区間で交流電源１が復帰したとき、リレー駆動手段７は、両方のリレーを駆動しつづけようとしているため、待機用電源５が動作すると同時にＲＹ１がＯＮする。そのときＲＹ２はＯＮしているために大きな突入電流が流れ、場合によっては両リレーが損傷、破壊に至るという課題を有していた。
【０００７】
本発明は前記従来の課題を解決するもので、入力の交流電圧１の異常時に、ＲＹ２とＲＹ１の損傷や破壊を防止することを可能とした電源装置を提供することを目的としている。
【課題を解決するための手段】
【０００８】
前記従来の課題を解決するために、本発明の電源装置は、入力の交流電圧の異常時に、第２のリレーをＯＦＦすることにより、交流電圧が正常となったときに第２のリレーと第１のリレーに流れる突入電流を防ぐことを可能としている。
【発明の効果】
【０００９】
本発明の電源装置は、入力の交流電圧の異常時に、第２のリレーをＯＦＦすることによ
り、交流電圧が正常となったときに第２のリレーと第１のリレーに流れる突入電流を防ぐことを実現することができる。
【発明を実施するための最良の形態】
【００１０】
第１の発明は交流電源と、突入電流を防止するための非線形抵抗と、第１のリレーと、第２のリレーと、リレーＯＦＦ時の電源である待機用電源と、リレーＯＮ時の電源であるメイン電源と、両リレーを駆動するリレー駆動手段と、第１のリレーを駆動させるための第１の駆動電源と、第２のリレーを駆動させるための第２の駆動電源と、前記交流電源の異常時に第２のリレーを遮断する手段とを備えた電源装置とすることにより、入力の交流電圧の異常時に、第２のリレーをＯＦＦすることにより、交流電圧が正常となったときに第２のリレーと第１のリレーに流れる突入電流を防ぐことを実現することができる。
【００１１】
第２の発明は、特に第１の発明で、交流電源の異常時に第２のリレーを遮断する手段として、第１のリレーの駆動電圧を検出する駆動電圧検出手段を設け、前記第１のリレーの駆動電圧が所定の電圧を下回った場合、第２のリレーの接点をＯＦＦすることにより、交流電圧が正常となったときの突入電流を防ぐことができる。
【００１２】
第３の発明は、特に第１の発明で、交流電源の異常時に第２のリレーを遮断する手段として、第１のリレーと第２のリレーの駆動電源を同系統とし、待機電源停止時には両リレーをＯＦＦすることにより、交流電圧が正常となったときの突入電流を防ぐことができる。
【００１３】
第４と第５の発明は、特に第１〜３の発明で、第１のリレーの駆動電圧を検出する手段としてコンパレータあるいはマイコンを用いるものである。
【００１４】
以下、本発明の実施の形態について、図面を参照しながら説明する。なお、この実施の形態によって本発明が限定されるものではない。
【００１５】
（実施の形態１）
図１は、本発明の実施の形態１における電源装置の構成図を示すものである。図１において、交流電源１と、突入電流を防止するための非線形抵抗２と、この非線形抵抗の入っていないラインに直列に入れた第１のリレー（ＲＹ１）４と、非線形抵抗の入ったラインに直列に入れた第２のリレー（ＲＹ２）３と、リレーＯＦＦ時の電源である待機用電源５と、リレーＯＮ時の電源であるメイン電源６と、両リレーを駆動するリレー駆動手段７と、ＲＹ２を駆動させるためのＲＹ２駆動電源８と、ＲＹ１を駆動させるためのＲＹ１駆動電源９と、ＲＹ１駆動電源９の電圧を検出するＲＹ１駆動電圧検出手段１０から構成されている。以上のように構成された電源装置について、以下その動作、作用を説明する。
【００１６】
待機用電源５とメイン電源６が動作時に停電などによって交流電源１が遮断されたとき、待機用電源５が先にＯＦＦになる場合において、ＲＹ１駆動電圧検出手段１０によって、ＲＹ１の電源電圧を検知し、所定の電圧を下回った場合、リレー（ＲＹ２）３をＯＦＦし、交流電圧復帰時に大きな突入電流が流れるのを防止する。
【００１７】
（実施の形態２）
図２は、本発明の実施の形態２における電源装置の構成図を示すものである。図２において、交流電源１と、突入電流を防止するための非線形抵抗２と、リレー（ＲＹ２）３と、リレー（ＲＹ１）４と、リレーＯＦＦ時の電源である待機用電源５と、リレーＯＮ時の電源であるメイン電源６と、両リレーを駆動するリレー駆動手段７と、ＲＹ２とＲＹ１を駆動させるためのＲＹ１駆動電源９から構成されている。以上のように構成された電源装置について、以下その動作、作用を説明する。
【００１８】
待機用電源５とメイン電源６が動作時に停電などによって交流電源１が遮断されたとき、待機用電源５が先にＯＦＦになる場合において、またリレー駆動手段７への電源供給を待機電源からのみとし、またＲＹ１の駆動電源とＲＹ２の駆動電源を同一としＲＹ１駆動電源９から供給することで、待機電源停止時には両リレーが同時にＯＦＦし、待機電源停止時にはリレー駆動手段７の電源供給もなくなるため駆動信号もＯＦＦとなり、電源復帰時には図３に示すように、通常の電源起動動作をし、交流電圧復帰時に大きな突入電流が流れるのを防止する。
【産業上の利用可能性】
【００１９】
以上のように、本発明にかかる電源装置は、待機用電源とメイン電源の２電源システムの電源装置全てにおいて適用可能である。
【図面の簡単な説明】
【００２０】
【図１】本発明の実施の形態１における電源装置の構成図
【図２】本発明の実施の形態２における電源装置の構成図
【図３】本発明の電源装置の起動時の制御フローチャート
【図４】本発明の電源装置の入力交流電圧異常時の動作フローチャート
【図５】従来の電源装置の構成図
【符号の説明】
【００２１】
１  交流電源
２  非線形抵抗
３  リレー（ＲＹ２）
４  リレー（ＲＹ１）
５  待機用電源
６  メイン電源
７  リレー駆動手段
８  ＲＹ１駆動電源
９  ＲＹ２駆動電源
１０  ＲＹ１駆動電圧検出手段
【図１】
2006296156.tif 000003
【図２】
2006296156.tif 000004
【図３】
2006296156.tif 000005
【図４】
2006296156.tif 000006
【図５】
2006296156.tif 000007